(57)【要約】【課題】利用者が種々の有価価値を用いて効率良く電子マネーをチャージ可能とすること。【解決手段】電子マネー端末装置１０は、待機画面に有価価値の種別ごとの操作ボタンとして「現金でチャージ」、「プリペイドカードでチャージ」、「ポイントからチャージ」を表示する。そして、「現金でチャージ」が操作されたならば有価価値として現金を用いる現金チャージ処理を開始し、「プリペイドカードでチャージ」が操作されたならば有価価値としてプリペイドカードの残高を用いるプリペイドチャージ処理を開始し、「ポイントからチャージ」が操作されたならば有価価値としてポイント残高を用いるポイントチャージ処理を開始する。【選択図】図１
2019036011.tif 000002
【特許請求の範囲】
【請求項１】
利用者が所持する有価媒体に対して電子マネー額をチャージする電子マネー端末装置であって、
貨幣及び該貨幣以外の有価価値からなる複数の有価価値から選択された有価価値を用いて電子マネーをチャージ可能とした
ことを特徴とする電子マネー端末装置。
【請求項２】
前記有価媒体に記憶された情報を読み取る読取部と、
チャージに利用する有価価値の種別を受け付ける種別受付部と、
前記種別受付部により受け付けた種別の有価価値を用いて、電子マネー額のチャージ処理を行うチャージ処理部と
を備えたことを特徴とする請求項１に記載の電子マネー端末装置。
【請求項３】
前記種別受付部は、
所定の表示部に表示する待機画面に複数の有価価値の種別を表示し、該複数の有価価値のうちの指定された有価価値を前記チャージに利用する有価価値の種別として受け付けることを特徴とする請求項２に記載の電子マネー端末装置。
【請求項４】
前記チャージ処理部は、
前記種別受付部により前記チャージに利用する有価価値の種別としてプリペイドカードを受け付けたならば、該プリペイドカードの残度数を用いて電子マネー額のチャージ処理を行うことを特徴とする請求項３に記載の電子マネー端末装置。
【請求項５】
前記チャージ処理部は、
前記種別受付部により前記チャージに利用する有価価値の種別としてポイントを受け付けたならば、該ポイントに相当する貨幣額を用いて電子マネー額のチャージ処理を行うことを特徴とする請求項３に記載の電子マネー端末装置。
【請求項６】
前記チャージ処理部は、
所定の換算係数に基づいて前記ポイントを貨幣額に換算する換算処理部と、
前記換算処理部により換算された貨幣額を所定の表示部に表示制御する表示制御部と
を備えたことを特徴とする請求項５に記載の電子マネー端末装置。
【請求項７】
前記所定の換算係数は、所定の操作により変更可能であることを特徴とする請求項６に記載の電子マネー端末装置。
【請求項８】
前記所定の換算係数は、ポイントの種別ごとに異なることを特徴とする請求項６に記載の電子マネー端末装置。
【請求項９】
利用者が所持する有価媒体に対して電子マネー額をチャージする電子マネー端末装置と、前記有価媒体の識別情報に対応付けて電子マネー額を管理する電子マネー管理装置とを通信可能に接続した電子マネー管理システムであって、
前記電子マネー端末装置は、
前記有価媒体に記憶された情報を読み取る読取部と、
チャージに利用する有価価値の種別を受け付ける種別受付部と、
前記種別受付部により受け付けた種別の有価価値を用いて、電子マネー額のチャージ処理を行うチャージ処理部と
を備えたことを特徴とする電子マネー管理システム。
【請求項１０】
利用者が所持する有価媒体に対して電子マネー額をチャージする電子マネー端末装置における電子マネーチャージ方法であって、
前記電子マネー端末装置が、前記有価媒体に記憶された情報を読み取る読取ステップと、
前記電子マネー端末装置が、チャージに利用する有価価値の種別を受け付ける種別受付ステップと、
前記電子マネー端末装置が、前記種別受付ステップにより受け付けた種別の有価価値を用いて、電子マネー額のチャージ処理を行うチャージ処理ステップと
を含んだことを特徴とする電子マネーチャージ方法。
【発明の詳細な説明】
【技術分野】
【０００１】
この発明は、利用者が種々の有価価値を用いて効率良く電子マネーをチャージすることができる電子マネー端末装置、電子マネー管理システム及び電子マネーチャージ方法に関する。
【背景技術】
【０００２】
従来、スーパーマーケット等の店舗には、電子マネーをチャージすることが可能な電子マネー端末装置（以下、「電子マネーチャージ機」と言う）が設置されることが多い。利用者が、かかる電子マネーチャージ機を用いて電子マネーをチャージする場合には、該利用者が電子マネー対応のＩＣカードを電子マネーチャージ機のかざし部にかざして電子マネーの残高を確認し、電子マネーチャージ機にあらかじめ設定された複数の金額ボタンの中から所望の金額ボタンを選択し、該金額ボタンの金額分の貨幣を投入することにより、電子マネー管理センタにて管理される電子マネーの識別情報（ＩＤ）に対応付けて入金された貨幣の金額分の電子マネーがチャージされる。
【０００３】
このため、電子マネーチャージ機で貨幣を用いて電子マネーをチャージする技術が知られており、例えば、特許文献１には、表示部に貨幣を用いた入金表示又はエラー表示を行った後に取扱対象となる他のＩＣカードのかざし操作を受け付けたならば入金表示を行い、取扱対象外となる他のＩＣカードの翳し操作を受け付けたならばエラー処理を行う技術が開示されている。
【先行技術文献】
【特許文献】
【０００４】
【特許文献１】特開２００９−２１１３１７号公報
【発明の概要】
【発明が解決しようとする課題】
【０００５】
しかしながら、上記引用文献１のものは、貨幣を用いて電子マネーをチャージすることができる反面で、貨幣以外の有価価値を用いて電子マネーをチャージすることができないため、利用者の利便性が悪いという問題がある。
【０００６】
最近では、様々なプリペイドカードが普及しつつあるため、利用者は、これらのプリペイドカードを用いて電子マネーをチャージしたいというニーズが大きいが、かかるプリペイドカードを用いて電子マネーをチャージすることはできない。同様に、最近では利用者に対して様々なポイントが付与されているが、かかるポイントを用いて電子マネーをチャージすることもできない。
【０００７】
本発明は、上記従来技術の課題を解決するためになされたものであり、利用者が種々の有価価値を用いて効率良く電子マネーをチャージすることができる電子マネー端末装置、電子マネー管理システム及び電子マネーチャージ方法を提供することを目的とする。
【課題を解決するための手段】
【０００８】
上述した課題を解決し、目的を達成するため、本発明は、利用者が所持する有価媒体に対して電子マネー額をチャージする電子マネー端末装置であって、貨幣及び該貨幣以外の有価価値からなる複数の有価価値から選択された有価価値を用いて電子マネーをチャージ可能としたことを特徴とする。
【０００９】
また、本発明は、上記発明において、前記有価媒体に記憶された情報を読み取る読取部と、チャージに利用する有価価値の種別を受け付ける種別受付部と、前記種別受付部により受け付けた種別の有価価値を用いて、電子マネー額のチャージ処理を行うチャージ処理部とを備えたことを特徴とする。
【００１０】
また、本発明は、上記発明において、前記種別受付部は、所定の表示部に表示する待機画面に複数の有価価値の種別を表示し、該複数の有価価値のうちの指定された有価価値を前記チャージに利用する有価価値の種別として受け付けることを特徴とする。
【００１１】
また、本発明は、上記発明において、前記チャージ処理部は、前記種別受付部により前記チャージに利用する有価価値の種別としてプリペイドカードを受け付けたならば、該プリペイドカードの残度数を用いて電子マネー額のチャージ処理を行うことを特徴とする。
【００１２】
また、本発明は、上記発明において、前記チャージ処理部は、前記種別受付部により前記チャージに利用する有価価値の種別としてポイントを受け付けたならば、該ポイントに相当する貨幣額を用いて電子マネー額のチャージ処理を行うことを特徴とする。
【００１３】
また、本発明は、上記発明において、前記チャージ処理部は、所定の換算係数に基づいて前記ポイントを貨幣額に換算する換算処理部と、前記換算処理部により換算された貨幣額を所定の表示部に表示制御する表示制御部とを備えたことを特徴とする。
【００１４】
また、本発明は、上記発明において、前記所定の換算係数は、所定の操作により変更可能であることを特徴とする。
【００１５】
また、本発明は、上記発明において、前記所定の換算係数は、ポイントの種別ごとに異なることを特徴とする。
【００１６】
また、本発明は、利用者が所持する有価媒体に対して電子マネー額をチャージする電子マネー端末装置と、前記有価媒体の識別情報に対応付けて電子マネー額を管理する電子マネー管理装置とを通信可能に接続した電子マネー管理システムであって、前記電子マネー端末装置は、前記有価媒体に記憶された情報を読み取る読取部と、チャージに利用する有価価値の種別を受け付ける種別受付部と、前記種別受付部により受け付けた種別の有価価値を用いて、電子マネー額のチャージ処理を行うチャージ処理部とを備えたことを特徴とする。
【００１７】
また、本発明は、利用者が所持する有価媒体に対して電子マネー額をチャージする電子マネー端末装置における電子マネーチャージ方法であって、前記電子マネー端末装置が、前記有価媒体に記憶された情報を読み取る読取ステップと、前記電子マネー端末装置が、チャージに利用する有価価値の種別を受け付ける種別受付ステップと、前記電子マネー端末装置が、前記種別受付ステップにより受け付けた種別の有価価値を用いて、電子マネー額のチャージ処理を行うチャージ処理ステップとを含んだことを特徴とする。
【発明の効果】
【００１８】
本発明によれば、利用者が種々の有価価値を用いて効率良く電子マネーをチャージすることができる。
【図面の簡単な説明】
【００１９】
【図１】図１は、本実施例に係る電子マネー端末装置の概念を説明するための説明図である。
【図２】図２は、電子マネーチャージ機の外観構成を示す図である。
【図３】図３は、図２に示した電子マネーチャージ機の内部構成を示す機能ブロック図である。
【図４】図４は、紙幣処理ユニットの構成を示す構成図である。
【図５】図５は、図１に示した電子マネー管理装置の構成を示す機能ブロック図である。
【図６】図６は、図５に示したカードデータの具体例についての説明図である。
【図７】図７は、電子マネーのチャージに係る処理手順を示すフローチャートである。
【図８】図８は、図７に示した現金チャージ処理の詳細を示すフローチャートである。
【図９】図９は、図７に示したプリペイドチャージ処理の詳細を示すフローチャートである。
【図１０】図１０は、図７に示したポイントチャージ処理の詳細を示すフローチャートである。
【図１１】図１１は、プリペイド残高とポイント残高を合算する場合の操作画面の具体例である。
【発明を実施するための形態】
【００２０】
以下に、添付図面を参照して、本発明に係る電子マネー端末装置、電子マネー管理システム及び電子マネーチャージ方法の好適な実施例を詳細に説明する。
【実施例】
【００２１】
＜電子マネー端末装置の概念＞
まず、本実施例に係る電子マネー端末装置の概念について説明する。図１は、本実施例に係る電子マネー端末装置の概念を説明するための説明図である。
【００２２】
図１に示す電子マネーチャージ機１０は、スーパーマーケットやコンビニエンスストア等に設置され、電子マネー対応のカードに関連付けられた電子マネーの加算処理、いわゆるチャージを行う電子マネー端末装置である。
【００２３】
電子マネーチャージ機１０は、紙幣の投入を受け付けて電子マネーの加算処理を行う現金チャージ処理が可能であるのに加え、貨幣以外の有価価値を用いて電子マネーをチャージすることができる。具体的には、プリペイドカードを用いて電子マネーの加算処理を行うプリペイドチャージ処理と、利用者に付与されたポイントを用いて電子マネーの加算処理を行うポイントチャージ処理とが可能である。
【００２４】
このように、種々の有価価値を用いたチャージ処理に対応する場合には、操作及び処理の効率化が重要である。例えば、カードの受付、電子マネーの残高の取得及び表示を行った後に、使用可能な有価価値の種別を提示して利用者に選択させる構成であったならば、利用者としては操作の途中で所望の種別を選択することになる。このため、操作を開始してから所望の種別が使用できないことに気付いたり、より望ましい種別が使用可能であることに気付くなど、開始時点の想定から外れる事態が生じ、操作が煩雑となる可能性がある。
【００２５】
また、プリペイドカードやポイントは、残高の取得に読取や照会が必要となるので、種々の有価価値について残高の読取や照会を行う処理を用いると、処理の複雑化を招く事態となる。
【００２６】
そこで、本実施例に係る電子マネーチャージ機１０は、有価価値の種別ごとの操作ボタンを待機画面に表示し、操作ボタンが操作された場合に対応する有価価値を用いるチャージ処理を開始することとしている。
【００２７】
具体的には、図１では、「現金でチャージ」、「プリペイドカードでチャージ」、「ポイントからチャージ」の３つの操作ボタンを含む待機画面を電子マネーチャージ機１０の表示操作部１１に表示している。
【００２８】
この待機画面で「現金でチャージ」が操作されたならば、電子マネーチャージ機１０は、現金チャージ処理を開始する。現金チャージ処理では、紙幣の投入を受け付け、投入された紙幣の合計金額を有価価値として電子マネーのチャージが行われる。
【００２９】
また、待機画面で「プリペイドカードでチャージ」が操作されたならば、電子マネーチャージ機１０は、プリペイドチャージ処理を開始する。プリペイドチャージ処理では、プリペイドカードの残度数を読み取り、残度数を有価価値として用いて電子マネーのチャージが行われる。
【００３０】
また、待機画面で「ポイントからチャージ」が操作されたならば、電子マネーチャージ機１０は、ポイントチャージ処理を開始する。ポイントチャージ処理では、ポイント管理装置５０に照会を行って利用者の保有するポイントの値を取得し、ポイントを有価価値として用いて電子マネーのチャージが行われる。ポイントは、例えばクレジットカードの利用実績や航空機の利用実績などに応じて付与され、所定の特典との交換などに用いることができる。クレジットカードの利用実績に応じて付与されたポイントを電子マネーのチャージに用いる場合には、電子マネーチャージ機１０は、クレジットカードの識別情報を取得し、クレジットカードのポイントを管理するポイント管理装置５０に送信してポイントの値の照会を行うことになる。
【００３１】
なお、本実施例では、説明を簡明にするため、プリペイドカードの残度数と利用者が保有するポイントの値についても電子マネーと同様に「残高」ということとする。
【００３２】
電子マネーチャージ機１０は、現金チャージ処理、プリペイドチャージ処理又はポイントチャージ処理のいずれかにおいて電子マネーのチャージを行う場合に、チャージ対象となるカードＩＤ及びチャージ金額を電子マネー管理装置２０に送信する。
【００３３】
電子マネー管理装置２０は、カードＩＤに関連付けて電子マネーの残高を記憶しており、電子マネーチャージ機１０からカードＩＤ及びチャージ金額を受信したならば、カードＩＤに関連付けられた残高にチャージ金額を加算して更新することで、電子マネーのチャージを実行する。
【００３４】
このように、本実施例に係る電子マネーチャージ機１０は、使用可能な有価価値の種別ごとの操作ボタンを待機画面に表示し、操作ボタンが操作された場合に対応する有価価値を用いるチャージ処理を開始するので、利用者が種々の有価価値を用いて効率良く電子マネーをチャージすることができる。
【００３５】
＜電子マネーチャージ機１０の構成＞
次に、電子マネーチャージ機１０の外観構成について説明する。図２は、電子マネーチャージ機１０の外観構成を示す図である。図２に示すように、電子マネーチャージ機１０は、表示操作部１１、音声出力部１２、カードリーダライタ１３、レシートプリンタ１４、紙幣投入口３１ａ及び紙幣投出口３２ａを有する。
【００３６】
表示操作部１１は、画面の表示と画面上に表示されたボタン等の操作によって入力操作を受け付けるタッチパネルディスプレイ等の入出力部である。音声出力部１２は、音声による操作のガイドや注意メッセージなどを出力する出力部である。
【００３７】
カードリーダライタ１３は、非接触式ＩＣカードに記憶されている内容の読み取り、非接触式ＩＣカードにデータへの書き込みを行うリーダライタである。このカードリーダライタ１３は、非接触式ＩＣカードを装置内に挿入する形式のものではなく、該カードリーダライタ１３の上に非接触式ＩＣカードを置くか近づけることによってデータの読み書きが行える。本実施例では、説明の便宜上電子マネーの記憶媒体を非接触式ＩＣカードとして説明しているが、本発明はこれに限定されるものではなく、接触式のＩＣカードであってもよく、非接触式ＩＣチップを内蔵した携帯電話機等のカード形態以外のものであってもよい。
【００３８】
また、プリペイドやポイントの残高を特定するための媒体として、接触式のＩＣカードや磁気記録式のカードを用いる場合には、カードリーダライタ１３にカード挿入口を設け、これらのカードに対する情報の読み書きを装置内部で実行可能に構成する。
【００３９】
レシートプリンタ１４は、チャージ結果を印字したレシートなどを発行する印字部である。紙幣投入口３１ａは、電子マネーのチャージに用い紙幣の投入に用いられる。紙幣投出口３２ａは、紙幣の投出に用いられる。紙幣の投出は、例えば、チャージの取消による投入済の紙幣の返却、金種不明等の不適切な紙幣の返却、釣銭の払出などを目的として行われる。
【００４０】
次に、図２に示した電子マネーチャージ機１０の内部構成について説明する。図３は、図２に示した電子マネーチャージ機１０の内部構成を示す機能ブロック図である。図３に示すように、電子マネーチャージ機１０は、表示操作部１１、音声出力部１２、カードリーダライタ１３、レシートプリンタ１４、通信部１５、記憶部１６、制御部１７及び紙幣処理ユニット３０を有する。ここでは、既に説明した表示操作部１１、音声出力部１２、カードリーダライタ１３及びレシートプリンタ１４についての説明を省略する。また、紙幣を金種別に収納する紙幣処理ユニット３０の詳細については後述する。
【００４１】
通信部１５は、所定の通信回線を経由して電子マネー管理装置２０やポイント管理装置５０と通信するためのインタフェース部である。記憶部１６は、フラッシュメモリ等の不揮発性メモリ又はハードディスク装置等の二次記憶媒体等からなる記憶デバイスであり、在高データ１６ａ、チャージ履歴データ１６ｂ及び入出金履歴データ１６ｃを記憶する。
【００４２】
在高データ１６ａは、紙幣処理ユニット３０に収納されている紙幣の金種別の在高を示すデータである。チャージ履歴データ１６ｂは、電子マネーチャージ機１０が行ったチャージの履歴を示すデータである。入出金履歴データ１６ｃは、電子マネーチャージ機１０における入出金の履歴を示すデータである。
【００４３】
制御部１７は、電子マネーチャージ機１０の全体を制御する制御部であり、表示制御部１７ａ、チャージ種別受付部１７ｂ、カードデータ処理部１７ｃ、チャージ金額特定部１７ｄ及びチャージ処理部１７ｅを有する。
【００４４】
表示制御部１７ａは、表示操作部１１に表示する内容を制御する処理部である。例えば、表示制御部１７ａは、待機画面に「現金でチャージ」、「プリペイドカードでチャージ」、「ポイントからチャージ」の３つの操作ボタンを表示する。また、カードが置かれたならば、表示制御部１７ａは、電子マネーの残高、金額を指定するチャージ金額指定操作を受け付ける操作ボタン等を表示操作部１１に表示する。さらに、チャージ処理を行った後には、チャージ結果を表示操作部１１に表示する。
【００４５】
チャージ種別受付部１７ｂは、チャージに利用する有価価値の種別を受け付ける処理部である。具体的には、チャージ種別受付部１７ｂは、待機画面に表示された「現金でチャージ」、「プリペイドカードでチャージ」及び「ポイントからチャージ」のいずれかに対する操作を、チャージに利用する有価価値を指定する操作として受け付ける。
【００４６】
カードデータ処理部１７ｃは、カードに関するデータの処理を行う処理部である。具体的には、カードデータ処理部１７ｃは、電子マネーに対応したカードのカードＩＤがカードリーダライタ１３により読み取られたならば、読み取られたカードＩＤをチャージ対象カードＩＤとして電子マネー管理装置２０に送信することで残高照会を行い、電子マネー残高を取得する。なお、残高照会の結果として電子マネー管理装置２０から通知された残高は、表示制御部１７ａによる表示などに用いられる。
【００４７】
チャージ金額特定部１７ｄは、チャージを行う電子マネー額をチャージ金額として特定する処理部である。具体的には、チャージ金額特定部１７ｄは、表示操作部１１に表示されたチャージ金額指定操作用の操作ボタンが操作された場合に、該操作により指定された金額をチャージ金額として特定する。
【００４８】
チャージ処理部１７ｅは、チャージ種別受付部１７ｂにより受け付けた種別の有価価値を用いて、チャージ金額のチャージ処理を行う処理部である。
【００４９】
具体的には、チャージ処理部１７ｅは、待機画面の「現金でチャージ」に対する操作である現金チャージ操作を受け付けたならば、現金チャージ処理を実行する。現金チャージ処理では、チャージ処理部１７ｅは、カードデータ処理部１７ｃによるチャージ対象カードＩＤの取得及び残高照会と、チャージ金額特定部１７ｄによるチャージ金額の特定の後、紙幣の入金を受け付ける。そして、入金された紙幣の合計金額（入金金額）がチャージ金額以上となった場合に、チャージ対象カードＩＤとチャージ金額とを電子マネー管理装置２０に送信することでチャージを実行させる。
【００５０】
なお、チャージ処理部１７ｅは、入金金額がチャージ金額を超えている場合には、紙幣処理ユニット３０に釣銭の払い出しを行わせる。入金金額がチャージ金額に満たない状態で利用者が所定の操作を行った場合に、入金金額分のチャージを実行させて処理を終了可能としてもよい。また、チャージ処理部１７ｅは、チャージ処理を行った場合に、チャージ結果を印字したレシートをレシートプリンタ１４に発行させることができる。
【００５１】
また、チャージ処理部１７ｅは、待機画面の「プリペイドカードでチャージ」に対する操作であるプリペイドチャージ操作を受け付けたならば、プリペイドチャージ処理を実行する。プリペイドチャージ処理では、チャージ処理部１７ｅは、カードデータ処理部１７ｃによるチャージ対象カードＩＤの取得及び残高照会の後、プリペイドカードの残高を読み取って表示する。その後、チャージ金額特定部１７ｄによるチャージ金額の特定が行われたならば、プリペイドカードの残高からチャージ金額相当分を減算し、チャージ対象カードＩＤとチャージ金額とを電子マネー管理装置２０に送信することでチャージを実行させる。また、チャージ処理部１７ｅは、チャージ処理を行った場合に、チャージ結果を印字したレシートをレシートプリンタ１４に発行させることができる。
【００５２】
また、チャージ処理部１７ｅは、待機画面の「ポイントからチャージ」に対する操作であるポイントチャージ操作を受け付けたならば、ポイントチャージ処理を実行する。ポイントチャージ処理では、チャージ処理部１７ｅは、カードデータ処理部１７ｃによるチャージ対象カードＩＤの取得及び残高照会の後、ポイント残高の照会を行い、ポイント管理装置５０から通知されたポイントの残高に基づく表示を行う。
【００５３】
ここで、ポイントの残高に基づく表示について説明する。チャージ処理部１７ｅは、ポイントの残高に基づく表示に係る処理部として、ポイント換算部１７ｆ及び換算結果表示制御部１７ｇを有する。ポイントの値は、１ポイントが１円に相当するとは限らない。そこで、ポイント換算部１７ｆが所定の換算係数を用いてポイントの残高を貨幣額に換算し、換算の結果を換算結果表示制御部１７ｇが表示操作部１１に表示制御することで、利用者はポイントからチャージ可能な金額を容易に認識することができる。また、ポイントの換算結果とともに、ポイントの残高や換算係数を表示してもよい。
【００５４】
ポイントの残高を貨幣額に換算する場合の換算係数は、所定の操作により変更可能である。また、換算係数は、ポイントの種別ごとに異なるため、複数種別のポイントに対応する場合には、ポイントの種別と換算係数を対応付けて管理しておくことが望ましい。
【００５５】
チャージ処理部１７ｅは、ポイントの換算結果の表示後、チャージ金額特定部１７ｄによるチャージ金額の特定が行われたならば、ポイントの残高からチャージ金額相当分を減算し、チャージ対象カードＩＤとチャージ金額とを電子マネー管理装置２０に送信することでチャージを実行させる。また、チャージ処理部１７ｅは、チャージ処理を行った場合に、チャージ結果を印字したレシートをレシートプリンタ１４に発行させることができる。
【００５６】
次に、紙幣処理ユニット３０の詳細について説明する。図４は、紙幣処理ユニット３０の構成を示す構成図である。図４に示すように、紙幣処理ユニット３０は、紙幣受入部３１と、紙幣払出部３２と、カセット装着部３３と、出金リジェクト部３４と、周回搬送部３５と、紙幣識別部３６と、金種別の紙幣収納部３７とを有する。
【００５７】
紙幣受入部３１は、紙幣投入口３１ａに対する紙幣の投入を受け付け、１枚ずつ周回搬送部３５に繰り出す処理部である。紙幣払出部３２は、周回搬送部３５から１枚ずつ搬送された紙幣を一時的に貯留し、払い出すべき全ての紙幣が揃った場合に紙幣投出口３２ａから投出することで紙幣を払い出す処理部である。
【００５８】
カセット装着部３３は、売上金の回収や釣銭の補充に用いる収納カセット４０を着脱可能である。出金リジェクト部３４は、金種が識別できない等、出金に適さない紙幣を内部に集積する。例えば、出金処理時において紙幣収納部３７から繰り出された紙幣のうち、重送や斜行等の搬送異常により紙幣識別部３６で識別することができなかった紙幣は出金リジェクト部３４に搬送される。なお、紙幣受入部３１から取り込まれた紙幣のうち、入金処理時において汚損等により紙幣識別部３６で識別することができなかった紙幣は、入金リジェクト紙幣として紙幣払出部３２に返却される。
【００５９】
複数の紙幣収納部３７は、それぞれ対応する金種が設定されており、設定された金種の紙幣を収納するとともに、収納されている紙幣を１枚ずつ繰出可能である。
【００６０】
周回搬送部３５は、環状の周回搬送路を有しており、紙幣受入部３１、紙幣払出部３２、カセット装着部３３、出金リジェクト部３４及び複数の紙幣収納部３７と周回搬送路との間には接続搬送路が設けられている。また、周回搬送路には、紙幣の金種、真偽、正損、表裏、搬送状態等の識別を行う紙幣識別部３６が設けられている。
【００６１】
周回搬送部３５は、図４における時計回りの方向及び反時計回りの方向に周回搬送路を回転駆動することで、紙幣を１枚ずつ搬送することができる。具体的には、紙幣を紙幣収納部３７に収納する場合には、周回搬送路を図４における時計回りに回転駆動し、紙幣を紙幣収納部３７から繰り出す場合には、周回搬送路を図４における反時計回りに回転駆動することになる。この回転駆動の制御に加え、周回搬送路と各接続搬送部との間で紙幣の搬送経路を切り換えることで、周回搬送部３５は、紙幣の搬送先を制御する。
【００６２】
＜電子マネー管理装置２０の構成＞
次に、図１に示した電子マネー管理装置２０の構成について説明する。図５は、図１に示した電子マネー管理装置２０の構成を示す機能ブロック図である。図５に示すように、電子マネー管理装置２０は、表示部２１と、操作部２２と、通信部２３と、記憶部２４と、制御部２５とを有する。
【００６３】
表示部２１は、タッチパネルカラー液晶ディスプレイ等からなる表示デバイスであり、操作部２２は、マウスやキーボード等からなる入力デバイスである。通信部２３は、所定の通信回線を経由して電子マネーチャージ機１０や電子マネーを決済に使用する電子マネー端末装置と通信するためのインタフェース部である。
【００６４】
記憶部２４は、ハードディスク装置や不揮発性メモリ等からなる記憶デバイスであり、カードデータ２４ａを記憶する。カードデータ２４ａは、カードＩＤに電子マネーの残高と処理履歴とを関連付けたデータである。
【００６５】
制御部２５は、電子マネー管理装置２０の全体制御を行う制御部であり、残高照会実行部２５ａ、チャージ実行部２５ｂ及び決済実行部２５ｃを有する。実際には、これらの機能部に対応するプログラムを図示しないＲＯＭや不揮発性メモリに記憶しておき、これらのプログラムをＣＰＵ（Central Processing Unit）にロードして実行することにより、残高照会実行部２５ａ、チャージ実行部２５ｂ及び決済実行部２５ｃにそれぞれ対応するプロセスを実行させることになる。
【００６６】
残高照会実行部２５ａは、電子マネーの残高照会に係る処理を実行する処理部である。具体的には、残高照会実行部２５ａは、電子マネーチャージ機１０や電子マネーを決済に使用する電子マネー端末装置などからカードＩＤを指定した残高照会を受け付けた場合に、カードＩＤに関連付けられた電子マネーの残高をカードデータ２４ａから読み出して通知する。
【００６７】
チャージ実行部２５ｂは、電子マネーのチャージに係る処理を実行する処理部である。具体的には、チャージ実行部２５ｂは、電子マネーチャージ機１０などのチャージ機能を有する装置からカードＩＤ及びチャージ金額を指定したチャージの要求を受け付けた場合に、カードＩＤに関連付けられた電子マネーの残高にチャージ金額を加算してカードデータ２４ａを更新する。
【００６８】
決済実行部２５ｃは、電子マネーの決済に係る処理を実行する処理部である。具体的には、決済実行部２５ｃは、電子マネーを決済に使用する電子マネー端末装置からカードＩＤ及び決済金額を指定したチャージの要求を受け付けた場合に、カードＩＤに関連付けられた電子マネーの残高から決済金額を減算してカードデータ２４ａを更新する。
【００６９】
図６は、図５に示したカードデータ２４ａの具体例についての説明図である。図６に示すように、カードデータ２４ａは、カードＩＤに電子マネーの残高と処理履歴とを関連付けたデータである。また、処理履歴には、日時、種別、金額、処理装置ＩＤが含まれる。
【００７０】
図６では、カードＩＤ「Ｃ０００１」の残高が「２１００」であり、日時「２０１７／７／２７  ０９：０３」に処理装置ＩＤ「Ｔ０３２２」の装置によって金額「３０００」のチャージが行われ、日時「２０１７／７／２７  １３：２７」に処理装置ＩＤ「Ｔ００５５」の装置によって金額「９００」の決済が行われた状態を示している。
【００７１】
次に、電子マネーのチャージに係る処理手順について説明する。図７は、電子マネーのチャージに係る処理手順を示すフローチャートである。まず、表示制御部１７ａは、表示操作部１１に待機画面を表示する（ステップＳ１０１）。この待機画面には、既に説明したように、「現金でチャージ」、「プリペイドカードでチャージ」、「ポイントからチャージ」の３つの操作ボタンが表示される。
【００７２】
チャージ種別受付部１７ｂは、待機画面の「現金でチャージ」に対する操作である現金チャージ操作を受け付けたか否かを判定し（ステップＳ１０２）、現金チャージ操作を受け付けた場合には（ステップＳ１０２；Ｙｅｓ）、チャージ処理部１７ｅが現金チャージ処理を行って（ステップＳ１０７）、処理を終了する。
【００７３】
現金チャージ操作を受け付けていない場合（ステップＳ１０２；Ｎｏ）、チャージ種別受付部１７ｂは、待機画面の「プリペイドカードでチャージ」に対する操作であるプリペイドチャージ操作を受け付けたか否かを判定し（ステップＳ１０３）、プリペイドチャージ操作を受け付けた場合には（ステップＳ１０３；Ｙｅｓ）、チャージ処理部１７ｅがプリペイドチャージ処理を行って（ステップＳ１０６）、処理を終了する。
【００７４】
プリペイドチャージ操作を受け付けていない場合（ステップＳ１０３；Ｎｏ）、チャージ種別受付部１７ｂは、待機画面の「ポイントからチャージ」に対する操作であるポイントチャージ操作を受け付けたか否かを判定し（ステップＳ１０４）、ポイントチャージ操作を受け付けた場合には（ステップＳ１０４；Ｙｅｓ）、チャージ処理部１７ｅがポイントチャージ処理を行って（ステップＳ１０５）、処理を終了する。なお、ポイントチャージ操作を受け付けていない場合には（ステップＳ１０４；Ｎｏ）、ステップＳ１０１に移行して待機画面の表示を継続することになる。
【００７５】
図８は、図７に示した現金チャージ処理の詳細を示すフローチャートである。現金チャージ処理が開始されると、カードデータ処理部１７ｃがチャージ対象カードＩＤを取得し（ステップＳ２０１）、チャージ対象カードＩＤを電子マネー管理装置２０に送信することで残高照会を行って、残高の通知を受ける（ステップＳ２０２）。その後、チャージ金額特定部１７ｄは、利用者による操作に基づいてチャージ金額を特定する（ステップＳ２０３）。
【００７６】
チャージ金額の特定後、チャージ処理部１７ｅは入金を受け付け（ステップＳ２０４）、入金された紙幣の合計金額（入金金額）がチャージ金額以上となった場合にチャージ金額のチャージ処理を行う（ステップＳ２０５）。
【００７７】
ステップＳ２０５の後、チャージ処理部１７ｅは、入金金額がチャージ金額を超えているか否かを判定し（ステップＳ２０６）、入金金額がチャージ金額を超えている場合には（ステップＳ２０６；Ｙｅｓ）、入金金額とチャージ金額の差分を釣銭として紙幣処理ユニット３０に払い出させ（ステップＳ２０７）、元の処理に戻る。入金金額がチャージ金額を超えていなければ（ステップＳ２０６；Ｎｏ）、チャージ処理部１７ｅは、そのまま元の処理に戻る。なお、処理の終了時にチャージ結果を印字したレシートをレシートプリンタ１４に発行させてもよい。
【００７８】
図９は、図７に示したプリペイドチャージ処理の詳細を示すフローチャートである。プリペイドチャージ処理が開始されると、カードデータ処理部１７ｃがチャージ対象カードＩＤを取得し（ステップＳ３０１）、チャージ対象カードＩＤを電子マネー管理装置２０に送信することで残高照会を行って、残高の通知を受ける（ステップＳ３０２）。
【００７９】
ステップＳ３０２の後、チャージ処理部１７ｅは、プリペイドカードの残高を読み取って表示する（ステップＳ３０４）。その後、チャージ金額特定部１７ｄは、利用者による操作に基づいてチャージ金額を特定する（ステップＳ３０５）。
【００８０】
チャージ金額の特定後、チャージ処理部１７ｅは、プリペイドカードの残高からチャージ金額相当分を減算し（ステップＳ３０６）、チャージ対象カードＩＤとチャージ金額とを電子マネー管理装置２０に送信することでチャージ金額のチャージ処理を行って（ステップＳ３０７）、元の処理に戻る。なお、処理の終了時にチャージ結果を印字したレシートをレシートプリンタ１４に発行させてもよい。
【００８１】
図１０は、図７に示したポイントチャージ処理の詳細を示すフローチャートである。ポイントチャージ処理が開始されると、カードデータ処理部１７ｃがチャージ対象カードＩＤを取得し（ステップＳ４０１）、チャージ対象カードＩＤを電子マネー管理装置２０に送信することで残高照会を行って、残高の通知を受ける（ステップＳ４０２）。
【００８２】
ステップＳ４０２の後、チャージ処理部１７ｅがポイント残高の照会を行い（ステップＳ４０３）、ポイント換算部１７ｆがポイントの残高を貨幣額に換算し（ステップＳ４０４）、換算結果表示制御部１７ｇが換算結果を表示操作部１１に表示する（ステップＳ４０５）。その後、チャージ金額特定部１７ｄは、利用者による操作に基づいてチャージ金額を特定する（ステップＳ４０６）。
【００８３】
チャージ金額の特定後、チャージ処理部１７ｅは、ポイントの残高からチャージ金額相当分を減算し（ステップＳ４０７）、チャージ対象カードＩＤとチャージ金額とを電子マネー管理装置２０に送信することでチャージ金額のチャージ処理を行って（ステップＳ４０８）、元の処理に戻る。なお、処理の終了時にチャージ結果を印字したレシートをレシートプリンタ１４に発行させてもよい。
【００８４】
＜変形例＞
これまでの説明では、有価価値として現金、プリペイド残高、ポイント残高のいずれかを電子マネーのチャージに用いる場合を例に説明を行ったが、複数の種別の有価価値を合算して電子マネーのチャージに用いることも可能である。
【００８５】
図１１は、プリペイド残高とポイント残高を合算する場合の操作画面の具体例である。図１１に示した操作画面では、プリペイド残高、ポイント残高、ポイント残高から換算した貨幣額及び換算率を表示するとともに、プリペイド残高とポイント残高の各々からのチャージ金額の入力を受け付ける入力領域、合計のチャージ金額、チャージを開始する操作ボタン、チャージを中止する操作ボタンを表示している。
【００８６】
具体的には、図１１は、プリペイド残高が「５０００円」であり、ポイント残高が「２０４１ポイント」であり、換算された貨幣額が「１０２０円」であり、換算率が「１ポイント＝０．５円」であることを示している。なお、ポイントを換算して表示する場合には、１円に満たないポイントはチャージに用いることができないため、端数として切り捨てる。このため、２０４１ポイントのうち１ポイントが切り捨てられ、換算額は「１０２０円」となっている。
【００８７】
また、図１１は、プリペイド価値から「２０００円」をチャージ金額として使用し、ポイント残高から「１０００円」をチャージ金額として使用する旨の入力が行われた状態であり、合計のチャージ金額は「３０００円」となっている。
【００８８】
このように、複数の有価価値に関する情報を同一の操作画面に表示し、各々からのチャージ金額の入力を受け付けることで、複数の有価価値を合算した電子マネーのチャージを効率的に行うことができる。
【００８９】
上述してきたように、本実施例では、貨幣及び該貨幣以外の有価価値からなる複数の有価価値から選択された有価価値を用いて電子マネーをチャージ可能としたので、利用者が種々の有価価値を用いて効率良く電子マネーをチャージすることができる。
【００９０】
また、所定の表示部に表示する待機画面に複数の有価価値の種別を表示し、該複数の有価価値のうちの指定された有価価値をチャージに利用する有価価値の種別として受け付け、指定された有価価値に対応するチャージ処理を開始することで、操作及び処理を効率化することができる。
【００９１】
貨幣以外の有価価値としては、プリペイドカードの残度数や利用者に付与されたポイントを用いることができる。また、ポイントを電子マネーのチャージに用いる場合には、所定の換算係数に基づいてポイントを貨幣額に換算し、換算された貨幣額を表示制御することで、操作性を向上することができる。なお、所定の換算係数は、所定の操作により変更可能であり、また、所定の換算係数は、ポイントの種別ごとに異ならせることができる。
【００９２】
なお、本実施例では、電子マネーを価値付ける有価媒体としてカードを用いる構成を例に説明を行ったが、カードに限らず、携帯端末など任意の媒体を用いることができる。
【００９３】
また、本実施例では、紙幣を入金可能な電子マネーチャージ機１０を例に説明を行ったが、紙幣と硬貨を入金可能に構成してもよい。
【００９４】
また、上記実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００９５】
以上のように、電子マネー端末装置、電子マネー管理システム及び電子マネーチャージ方法は、利用者が種々の有価価値を用いて効率良く電子マネーをチャージすることに適している。
【符号の説明】
【００９６】
１０  電子マネーチャージ機
１１  表示操作部
１２  音声出力部
１３  カードリーダライタ
１４  レシートプリンタ
１５、２３  通信部
１６、２４  記憶部
１６ａ  在高データ
１６ｂ  チャージ履歴データ
１６ｃ  入出金履歴データ
１７、２５  制御部
１７ａ  表示制御部
１７ｂ  チャージ種別受付部
１７ｃ  カードデータ処理部
１７ｄ  チャージ金額特定部
１７ｅ  チャージ処理部
１７ｆ  ポイント換算部
１７ｇ  換算結果表示制御部
２０  電子マネー管理装置
２１  表示部
２２  操作部
２４ａ  カードデータ
２５ａ  残高照会実行部
２５ｂ  チャージ実行部
２５ｃ  決済実行部
３０  紙幣処理ユニット
３１  紙幣受入部
３１ａ  紙幣投入口
３２  紙幣払出部
３２ａ  紙幣投出口
３３  カセット装着部
３４  出金リジェクト部
３５  周回搬送部
３６  紙幣識別部
３７  紙幣収納部
４０  収納カセット
５０  ポイント管理装置
【図１】
2019036011.tif 000003
【図２】
2019036011.tif 000004
【図３】
2019036011.tif 000005
【図４】
2019036011.tif 000006
【図５】
2019036011.tif 000007
【図６】
2019036011.tif 000008
【図７】
2019036011.tif 000009
【図８】
2019036011.tif 000010
【図９】
2019036011.tif 000011
【図１０】
2019036011.tif 000012
【図１１】
2019036011.tif 000013